(57)【特許請求の範囲】
【請求項１】
２つ折りしたときの上側用紙の一方の部分における周辺部の表面は剥離性を、その他方の部分における周辺部の表面は擬似接着性を有し、２つ折りしたときの下側用紙の一方の部分における周辺部の表面は強粘着性を有し、前記上側用紙における剥離性を有さない領域の全面または前記下側用紙における強粘着性を有さない領域の全面に強接着糊が塗布されており、前記上側用紙と前記下側用紙からなる２枚の用紙を前記剥離性の表面と前記強粘着性の表面とが対向するように前記強接着糊により貼り合せて略均一な厚みの１枚の用紙とし、前記上側用紙における剥離性を有する周辺部とその他の部分との境界が切れ込みとなっていることを特徴とする封書用紙。
【請求項２】
請求項１に記載の封書用紙において、前記上側用紙と前記下側用紙とが貼り合わせにより対向する表面の両方もしくは一方に透過防止図柄が印刷されていることを特徴とする封書用紙。
【発明の詳細な説明】
【技術分野】
【０００１】
本発明は特殊な印刷物の技術分野に属する。特に、情報を用紙に記入した後にその用紙を折畳むだけで返信が可能な封書となり、封書であるから記入した情報の隠蔽性が確保され、ハガキに比較して大面積であるから多くの情報を記入することができ、全面が略均一厚さとなることからプリンタによる印刷適正に優れ、さらに、その封書の開封が容易である封書用紙に関する。
【背景技術】
【０００２】
住所変更届、口座振替申込書、アンケート、等を行なう方法の１つとして郵送による方法が知られている。郵送による方法においては、まず、挨拶状、記入説明書、等の書面とともに返信ハガキまたは返信封書を同封して利用者宛に郵送する。そして、利用者は返信ハガキまたは返信封書（記入用紙）の記入欄へ必要事項の記入を行なった後にそれを返信する。
このとき、返信ハガキにおいては、個人情報を保護するために記入欄を隠蔽する必要がある。そこで、同封されている隠蔽用紙を記入欄に貼り付ける形態のもの、隠蔽用紙が一体となった返信ハガキを使用する形態のもの、等が知られている（特許文献１）。
また、返信封書においては、記入用紙とは別に返信用の封筒を同封する形態のもの、折畳んで糊付けすると封書になる形態のもの（折畳封書用シート）、等が知られている（特許文献２）。これらにおいては封書にする（封緘する）ことで記入内容が隠蔽される。
【特許文献１】特開平７−２１４９４７
【特許文献２】特開平１０−１０１０９３
【０００３】
ところが、返信ハガキにおいては、ハガキの規格で表面積の制約があるため記入可能な情報量が小さい。また、隠蔽用紙はその全面において返信ハガキと接着する必要があるため、その全面が接着用の再剥離糊部分である。すなわち、隠蔽用紙の内面（接着面）を個人情報の記入欄として使用することができない。そのため、記入すべき情報量が大きいときには返信ハガキを使用できないという問題がある。
また、返信用の封筒に記入用紙を同封する形態においては、記入用紙を折畳まないと入らない場合が多く、利用者にとって扱い難いものであった。折畳んで糊付けすると封書になる返信封書においては、使い方が明確でないものが多く、糊付けも必要で手間がかかるため、返信率が低下する傾向がある。
また、部分的に粘着剤があらかじめ塗布されており糊付けが不要な返信封書においては、記入欄に記入するためには剥離紙部分を剥がす必要性があるものが多い。その形態の返信封書においては、粘着剤が露出するため記入し難いものである。
また、粘着剤部分だけに剥離紙を設けている返信封書においては、剥離紙の有無による段差が発生する。そのため、プリンタで印字するときには印字適性が劣っており、利用者に郵送する封筒に封入封緘するときには剥離紙が剥離する危険性が高かった。
【発明の開示】
【発明が解決しようとする課題】
【０００４】
本発明は上記の問題を解決するために成されたものである。その目的は、情報を用紙に記入した後にその用紙を折畳むだけで返信が可能な封書となり、封書であるから記入した情報の隠蔽性が確保され、ハガキに比較して大面積であるから多くの情報を記入することができ、全面が略均一厚さとなることからプリンタによる印刷適正に優れ、さらに、その封書の開封が容易である封書用紙を提供することにある。
【課題を解決するための手段】
【０００５】
本発明の請求項１に係る封書用紙は、２つ折りしたときの上側用紙の一方の部分における周辺部の表面は剥離性を、その他方の部分における周辺部の表面は擬似接着性を有し、２つ折りしたときの下側用紙の一方の部分における周辺部の表面は強粘着性を有し、前記上側用紙における剥離性を有さない領域の全面または前記下側用紙における強粘着性を有さない領域の全面に強接着糊が塗布されており、前記上側用紙と前記下側用紙からなる２枚の用紙を前記剥離性の表面と前記強粘着性の表面とが対向するように前記強接着糊により貼り合せて略均一な厚みの１枚の用紙とし、前記上側用紙における剥離性を有する周辺部とその他の部分との境界が切れ込みとなっているものである。
また本発明の請求項２に係る封書用紙は、請求項１に係る封書用紙において、前記上側用紙と前記下側用紙とが貼り合わせにより対向する表面の両方もしくは一方に透過防止図柄が印刷されているようにしたものである。
【発明の効果】
【０００６】
本発明の請求項１に係る封書用紙によれば、２つ折りしたときの上側用紙の一方の部分における周辺部の表面は剥離性を、その他方の部分における周辺部の表面は擬似接着性を有し、２つ折りしたときの下側用紙の一方の部分における周辺部の表面は強粘着性を有し、前記上側用紙における剥離性を有さない領域の全面または前記下側用紙における強粘着性を有さない領域の全面に強接着糊が塗布されており、前記上側用紙と前記下側用紙からなる２枚の用紙を前記剥離性の表面と前記強粘着性の表面とが対向するように前記強接着糊により貼り合せるから、封書用紙は略均一な厚みの１枚の用紙となっている。すなわち、上側用紙の剥離性を有する周辺部を除去し、下側用紙の強粘着性を有する周辺部を露出させ、その１枚の用紙を２つ折りしたときには、強粘着性を有する周辺部と上側用紙の他方の部分における周辺部分とが接着して封書が形成される。そして、その封書を開封するときには上側用紙の擬似接着性を有する周辺部の表面と下側用紙の対向する表面との間が再剥離する。したがって、情報を用紙に記入した後にその用紙を折畳むだけで返信が可能な封書となり、封書であるから記入した情報の隠蔽性が確保され、ハガキに比較して大面積であるから多くの情報を記入することができ、全面が略均一厚さとなることからプリンタによる印刷適正に優れる封書用紙が提供される。
また前記上側用紙における剥離性を有する周辺部分とその他の部分との境界が切れ込みとなっている。したがって、利用者が封書用紙を封書にするときにおいて、上側用紙の剥離性を有する周辺部を除去する作業を容易かつ正確とすることができる。
また本発明の請求項２に係る封書用紙によれば、請求項１に係る封書用紙において、前記上側用紙と前記下側用紙とが貼り合わせにより対向する表面の両方もしくは一方に透過防止図柄が印刷されている。したがって、極めて高い情報隠蔽性を得ることができる。
【発明を実施するための最良の形態】
【０００７】
次に、本発明の実施の形態について図を参照しながら説明する。本発明の封書用紙における構成の一例を図１に、本発明の封書用紙における使用方法の一例を図２に示す。図１、図２において、１０は上側用紙、１１は剥離領域、１２は剥離層、１３は擬似接着領域、１４は擬似接着層、１５，１６は切れ込み、１７は折目、１８，１９は情報領域、２０は下側用紙、２１は粘着領域、２２は粘着層、２７は折目、３０は強接着糊である。
なお、図１（Ａ）と図２（Ａ）は正面図、図１（Ｂ）は側面図、図２（Ｂ）は剥離除去された剥離領域１１の正面図である。
【０００８】
本発明の封書用紙は、図１に示すように、それぞれの構造を有する上側用紙１０と下側用紙２０を強接着剤３０によって貼り合せた構造を基本とする。
上側用紙１０には２つ折するための折目１７が形成されている。上側用紙１０はその折目１７を境界として一方の部分と他方の部分の２つに分けることができる。一方の部分とは、剥離領域１１と情報領域１８、それら剥離領域１１と情報領域１８の境界に形成された切れ込み１５（たとえばハーフカット）が形成された部分である。また、他方の部分とは、擬似接着領域１３、擬似接着層１４、情報領域１９が形成された部分である。
【０００９】
剥離領域１１は、２つ折りしたときの上側用紙１０の一方の部分における周辺部分である。すなわち、剥離領域１１は、図２（Ｂ）に示すように、「コ」の字の形状を有する領域である。上側用紙１０におけるこの領域は、上側用紙１０と下側用紙２０を貼り合せたときに下側用紙２０と対向する面、すなわち図１（Ａ）における裏面の領域が剥離性の領域となっている。すなわち、図１（Ｂ）に示すように、その面に剥離層１２が形成されている。剥離領域１１は粘着領域２１と同一の寸法とするか、または粘着領域２１のはみ出しがないように、若干大きな寸法とすると好適である。
【００１０】
剥離層１２は、上側用紙１０と下側用紙２０を貼り合せ封書用紙としたときには、下側用紙２０に形成されている粘着層２２と対向接触して弱粘着する。すなわち、剥離層１２は粘着層２２に対して剥離容易性を有する剥離層である。剥離層１２には、シリコーン樹脂、等を使用することができる。溶剤型、無溶剤型、エマルジョン型、等のシリコーン樹脂を基材となる上側用紙１０に塗布した後、乾燥炉において加熱する、紫外線等の電磁放射線を照射する、等により硬化させ、上側用紙１０に剥離層１２を形成する。シリコーン樹脂が基材である上側用紙１０に浸透し易いときには、上側用紙１０と剥離層１２との間に目止層を設けると好適である。目止層としては、たとえば、数〜数十μｍの厚さのポリエチレン被膜を上側用紙１０に形成する。
【００１１】
擬似接着領域１３は、２つ折りしたときの上側用紙１０の他方の部分における周辺部分である。すなわち、擬似接着領域１３は、図１、図２に示すように、「コ」の字の形状を有する領域である。上側用紙１０におけるこの領域は、上側用紙１０と下側用紙２０を貼り合せたときに下側用紙２０と対向する面、すなわち図１（Ａ）における裏面の領域が擬似接着性の領域となっている。すなわち、図１（Ｂ）に示すように、その面に擬似接着層１４が形成されている。擬似接着領域１３は、封書用紙を封書として郵送し、その封書を受け取った側が開封するときに、上側用紙の擬似接着性を有する周辺部の表面と下側用紙の対向する表面との間を剥離させて開封することができる。すなわち、封書の開封を容易とするために形成されたものである。
【００１２】
擬似接着層１４は、上側用紙１０と下側用紙２０を強接着糊３０で貼り合せ封書用紙としたときには、擬似接着を行なう。擬似接着を行なっている部分は、剥離することが可能であるが剥離した後においては二度と擬似接着（再接着）させることができない性質を有している。擬似接着層１４には、剥離層１２と同様に、シリコーン樹脂、等を使用することができる。ただし、擬似接着層１４と剥離層１２とに求められる特性には相違があるから、通常は、全く同一材料で済ますことはできない。
なお、この擬似接着層１４と強接着糊３０との接着強度は、剥離層１２と粘着層２２との間の接着強度よりも弱い。したがって、本発明の封書用紙を封書とした後にこの部位において開封を行なうときには、この擬似接着層１４と強接着糊３０とが剥離することによって開封することができる。
【００１３】
切れ込み１５は、図１、図２に示すように、上側用紙１０における剥離性を有する周辺部分、すなわち剥離領域１１と、その他の部分との境界に形成された切れ込みである。切れ込み１５は、容易かつ正確に所定の線上に沿って剥離領域１１を切り取ることができるように、打抜き用の切断刃、等によって加工が行なわれた部分である。
切れ込み１６は、図１、図２に示すように、上側用紙１０における擬似接着性を有する周辺部分、すなわち擬似接着領域１３と、その他の部分との境界に形成された切れ込みである。切れ込み１６は、封書用紙から作成された封書を開封するときに容易かつ正確に所定の線上に沿って擬似接着領域１３が、上側用紙１０に接着して剥離することができるように、打抜き用の切断刃、等によって加工が行なわれた部分である。
【００１４】
情報領域１８は、印字、記入、等により情報を記載できる領域である。その情報の内容には制限がない。たとえば、利用者の住所、氏名、等を印字した領域として使用することができる。
情報領域１９は、情報領域１８と同様であり、印字、記入、等により情報を記載できる領域である。その情報の内容には制限がない。たとえば、住所変更届、口座振替申込書、アンケート、等の目的に応じて、利用者が記入を行なう記入欄の領域として使用することができる。
【００１５】
下側用紙２０には、上側用紙１０と同様に、２つ折するための折目２７が形成されている。下側用紙２０はその折目２７を境界として一方の部分と他方の部分の２つに分けることができる。一方の部分とは、粘着領域２１が形成された部分である。また、他方の部分とは、粘着領域２１が形成されていない部分である。強接着糊３０は、図１に示す一例においては、下側用紙２０における粘着領域２１が形成されていない領域の全面に形成されているように描かれている。しかし、強接着糊３０は、上側用紙１０における剥離領域１１が形成されていない領域の全面に形成してもよい。
【００１６】
粘着領域２１は、２つ折りしたときの下側用紙２０の一方の部分における周辺部分である。すなわち、粘着領域２１は、図２（Ａ）に示すように、「コ」の字の形状を有する領域である。下側用紙２０におけるこの領域は、上側用紙１０と下側用紙２０を貼り合せたときに上側用紙１０と対向する面、すなわち図１（Ａ）における表面の領域である。図１（Ｂ）に示すように、その面に粘着層２２が形成されている。粘着領域２１は剥離領域１１と同一の寸法とするか、または、剥離領域１１からはみ出さないように、若干小さな寸法とすると好適である。
【００１７】
粘着層２２は、上側用紙１０と下側用紙２０を貼り合せ封書用紙としたときには、上側用紙１０に形成されている剥離層１２と対向接触して弱粘着する。すなわち、粘着層２２は剥離層１２に対しては剥離容易性を有する粘着層である。また、封書用紙において剥離領域１１を剥離除去し２つ折りにし封書としたときには、他方の部分における周辺部と対向接触して強粘着する。すなわち、粘着層２２は他方の部分における周辺部に対しては剥離困難性を有する粘着層である。粘着層２２には、一般的に多用されている天然ゴム、合成ゴム系粘着剤を使用することができる。勿論、アクリル系粘着剤、樹脂変性アクリル系粘着剤、水系アクリル粘着剤、シリコーン粘着剤、熱活性型粘着剤、等を仕様上、製造上、等における特性を考慮して使用することもできる。
【００１８】
折目２７は、容易かつ正確に所定の線上に沿って折れるようにミシン目、折罫（筋入）等の加工が行なわれた部分である。折目２７は、上側用紙１０と下側用紙２０を貼り合せ封書用紙としたときには、折目１７に対して同一位置となっている。
【００１９】
図１、図２には示していないが、上側用紙１０と下側用紙２０とが貼り合わせにより対向する表面の両方または一方に対して透過防止図柄を印刷しておくと好適である。透過防止図柄は、封書を透過した光によって、封書に記載されている内容が読取れないようにするための図柄である。図柄としては、具体的には、遮光性のベタ印刷（たとえば、網点面積率１００％の黒色）、記載情報を判読不可能とする迷彩紋様、等である。遮光性という意味においては、印刷するのではなくアルミ箔を貼り合せる、等の方法であってもよい。また、図柄の印刷領域は、その目的を果たすことができれば全面でなく部分的であってもよい。この透過防止図柄の印刷により、情報漏洩に対する防止効果を著しく高めることができる。
【００２０】
強接着剤３０は、上側用紙１０と下側用紙２０からなる２枚の用紙を剥離性の表面である剥離領域１１の剥離層１２と、強粘着性の表面である粘着領域２１の粘着層２２とが対向するように貼り合せるときに使用する接着剤である。すでに説明したように、強接着糊３０は、上側用紙１０における剥離領域１１が形成されていない領域の全面、または下側用紙２０における粘着領域２１が形成されていない領域の全面に形成する。通常は強接着剤３０である液体を所定のパターンで塗布（たとえばグラビア印刷）することにより形成する。強接着剤３０としては、たとえば、酢酸ビニル樹脂、エチレン酢酸ビニル共重合樹脂を主体とした、合成樹脂エマルジョンタイプの水性接着剤を使用することができる。
【００２１】
強接着剤３０を塗布した後に、上側用紙１０と下側用紙２０とを重ね合わせることにより強接着し封書用紙となる。封書用紙において、上側用紙１０と下側用紙２０の各々は全面において均一な厚さを有している。また剥離層１２、粘着層２２、強接着剤３０の厚さは用紙の厚さに比較して薄い上に、ほぼ同一の厚さとすることも可能である。したがって、封書用紙は、図１（Ｂ）に示すように、略均一な厚みの１枚の用紙となる。全面が略均一厚さとなることから、封書用紙はプリンタによる印刷適正に優れる。
【００２２】
以上、構成について説明した。次に、本発明の封書用紙における製造方法について説明する。製造方法としては、種々の方法を実施することができ本発明は製造方法によって限定されない。ここでは、製造方法の一例について簡単に説明する。
上側用紙１０と下側用紙２０はＮＩＰ用紙（non-impact printer用紙）等の用紙の巻取体（ロール紙）を材料とする。上側用紙１０と下側用紙２０に対してはフレキソ印刷、オフセット印刷、等の印刷ユニットにおいて固定情報の印刷が行われる。固定情報は利用者個人に依存しない固定した情報である。この固定情報の印刷において、封書用紙の用途、すなわち住所変更届、口座振替申込書、アンケート、等の用途に応じた情報とともに透過防止図柄が印刷される。
【００２３】
次に、固定情報の印刷が行われた上側用紙１０に対して、オフセット印刷、フレキソ印刷、グラビア印刷、等の印刷ユニットにおいて剥離領域１１と、擬似接着領域１３の印刷が行なわれる。たとえば、剥離層１２、擬似接着層１４の材料として紫外線（ＵＶ）によって硬化させる無溶剤型シリコーン樹脂を使用する。そのときには、印刷直後に紫外線（ＵＶ）照射を行なって硬化させる。
一方、固定情報の印刷が行われた下側用紙２０に対して、フレキソ印刷、グラビア印刷、等の印刷ユニットにおいて粘着領域２１と、粘着領域２１が形成されていない強接着糊３０の領域の印刷が行なわれる。たとえば、粘着層２２の材料と強接着糊３０としてエマルジョン系の粘着剤と接着剤を使用する。そのときには、乾燥器を通して乾燥を行なうが、その乾燥は、次の重ね合せを行なった後となる。
【００２４】
次に、剥離領域１１と粘着領域２１とが対向するように、上側用紙１０と下側用紙２０を重ね合わせて、ニップローラ等において加圧し貼り合せる。この貼り合わせにより１枚の連続用紙が得られる。
次に、打抜ユニットにおいて切れ込み１５，１６、折目１７，２７を加工する。切れ込み１５，１６は上側用紙１０を切断し下側用紙２０を切断しないハーフカットとする。
また、打抜ユニットにおいてこの連続用紙を折り畳むことができるように、折ミシン目を加工する。この加工は上側用紙１０と下側用紙２０の両方に対して同時に行なわれる。
最後に、連続用紙となっている封書用紙を折ミシン目において折り畳み段ボール箱、等に箱詰して保管する。
【００２５】
以上の製造方法によって、連続用紙としての封書用紙を得ることができる。この封書用紙を利用者に対して郵送するときには、まず、折り畳まれて箱詰され保管されている封書用紙を箱から取出し、その封書用紙に対して可変情報の印刷を行う。可変情報には利用者の氏名、住所、等が含まれている。次に、その可変情報の印刷を行った連続用紙としての封書用紙を、一枚一枚に分離し枚葉用紙としての封書用紙とする。次に、他の資料とともに封筒に封入封緘する。この封入封緘した封筒を利用者に郵送する。
【００２６】
以上、製造方法について説明した。次に、本発明の封書用紙における使用方法について説明する。
利用者は、封書用紙における記入欄に記入を済ませる。そして、封書用紙から剥離領域１１を剥離除去する。図２（Ａ）は剥離領域１１を剥離除去した後の封書用紙を示す図であり、図２（Ｂ）は剥離除去された剥離領域１１を示す図である。次に、折目１７，２７を折目として剥離領域１１を剥離除去した後の封書用紙を２つ折りにする。２つ折りにすると、強粘着性を有する周辺部である粘着領域２１と上側用紙の他方の部分における周辺部分とが接着して封書が形成される。封書における表面、すなわち図１における下側用紙２０の裏側の面には、利用者に送付する前に郵便における宛先、返信者、等の情報を印刷しておくことができる。したがって、利用者は、封書用紙を２つ折りにするだけで、封書を直ちに返信することができる。
また、封書の返信を受けた側は、擬似接着領域１３の擬似接着層１４において剥離する。この剥離において、擬似接着領域１３は粘着領域２１に強粘着したまま切れ込み１６において切取られることにより封書が開封される。
【図面の簡単な説明】
【００２７】
【図１】本発明の封書用紙における構成の一例を示す図である。
【図２】本発明の封書用紙における使用方法の一例を示す図である。
【符号の説明】
【００２８】
１０  上側用紙
１１  剥離領域
１２  剥離層
１３  擬似接着領域
１４  擬似接着層
１５，１６  切れ込み
１７  折目
１８，１９  情報領域
２０  下側用紙
２１  粘着領域
２２  粘着層
２７  折目
３０  強接着糊
【図１】
0005422876.tif 000002
【図２】
0005422876.tif 000003